【手続補正書】
【提出日】平成24年11月26日(2012.11.26)
【手続補正１】
【補正対象書類名】特許請求の範囲
【補正対象項目名】全文
【補正方法】変更
【補正の内容】
【特許請求の範囲】
【請求項１】
プレゼンテーション状態を、プレゼンターデバイス上で実行するプレゼンティングアプリケーションと出席者デバイス上で実行するビューイングアプリケーションとの間で同期する、コンピュータで実施される方法であって、前記方法は、
前記プレゼンテーション状態を前記プレゼンティングアプリケーションから受信するステップであって、前記プレゼンティングアプリケーションは、プレゼンテーションファイルを読み取り、かつ前記プレゼンテーションファイルを読み取ることに応答してローカルプレゼンテーションを表示するように動作し、前記プレゼンテーション状態は、前記ローカルプレゼンテーションの現在の状態を表す、受信するステップと、
前記プレゼンテーション状態の要求を前記ビューイングアプリケーションから受信するステップと、
前記プレゼンテーション状態の要求の受信に応答して、前記プレゼンテーション状態を前記ビューイングアプリケーションに提供するステップと
を備えたことを特徴とするコンピュータで実施される方法。
【請求項２】
前記プレゼンティングアプリケーションはプレゼンテーションプログラムを含み、前記プレゼンテーションファイルは前記プレゼンテーションプログラムによって生成されるファイルを含み、および前記ビューイングアプリケーションはＷｅｂブラウザを含むことを特徴とする請求項１に記載のコンピュータで実施される方法。
【請求項３】
前記プレゼンテーション状態は、前記ローカルプレゼンテーションの現在のスライドを含むことを特徴とする請求項１に記載のコンピュータで実施される方法。
【請求項４】
前記プレゼンテーション状態は、前記ローカルプレゼンテーションに対応する動画の、
現在のビデオフレーム、現在の音声フレーム、ビデオブックマーク、または現在の動画ステップのうちの少なくとも１つを含むことを特徴とする請求項１に記載のコンピュータで実施される方法。
【請求項５】
前記プレゼンテーション状態は、前記ローカルプレゼンテーションと相互作用するマウスポインタまたはレーザーポインタについての情報を含むことを特徴とする請求項１に記載のコンピュータで実施される方法。
【請求項６】
前記マウスポインタまたはレーザーポインタについての情報は、最新の座標、色、または形状のうちの少なくとも１つを含むことを特徴とする請求項５に記載のコンピュータで実施される方法。
【請求項７】
前記プレゼンテーションファイルを前記プレゼンティングアプリケーションから受信するステップをさらに備えたことを特徴とする請求項１に記載のコンピュータで実施される方法。
【請求項８】
プロセッサと、
前記プロセッサに動作可能なように結合されるメモリと、
前記プロセッサによって実行されると、プレゼンテーション状態を、プレゼンターデバイス上で実行するプレゼンティングアプリケーションと出席者デバイス上で実行するビューイングアプリケーションとの間で同期する方法を前記プロセッサに実行させるプログラムモジュールであって、前記方法は、
前記プレゼンテーション状態を前記プレゼンティングアプリケーションから受信するステップであって、前記プレゼンティングアプリケーションは、プレゼンテーションファイルを読み取り、かつ前記プレゼンテーションファイルの読み取りに応答してローカルプレゼンテーションを表示するように動作し、前記プレゼンテーション状態は、前記ローカルプレゼンテーションの現在の状態を表し、かつ前記ローカルプレゼンテーション上のポインタの最新の座標、色、または形状のうちの少なくとも１つを含む、受信するステップと、
前記プレゼンテーションファイルを前記プレゼンテーション状態に対応するプレゼンテーションデータに変換するステップと、
前記プレゼンテーション状態に対応する前記プレゼンテーションデータを前記ビューイングアプリケーションに提供するステップであって、前記ビューイングアプリケーションは、前記プレゼンテーションデータを読み取り、かつ前記プレゼンテーションデータの読み取りに応答してリモートプレゼンテーションを表示するように動作する、提供するステップと
を含むことを特徴とするコンピュータシステム。
【請求項９】
前記プレゼンテーション状態を受信するステップは、前記プレゼンテーション状態を前記プレゼンティングアプリケーションから、前記プレゼンティングアプリケーションが前記ローカルプレゼンテーションを前記プレゼンターデバイスを介して表示中に、受信するステップを含むことを特徴とする請求項８に記載のコンピュータシステム。
【請求項１０】
前記プレゼンテーションデータを提供するステップは、前記ローカルプレゼンテーションが開始したという指示の受信に応答して、前記プレゼンテーションデータを前記ビューイングアプリケーションに送信することを開始するステップを含むことを特徴とする請求項８に記載のコンピュータシステム。
【請求項１１】
前記プレゼンテーションデータを提供するステップは、前記ローカルプレゼンテーションが終了したという指示の受信に応答して、前記プレゼンテーションデータを前記ビューイングアプリケーションに送信することを終了するステップをさらに含むことを特徴とする請求項１０に記載のコンピュータシステム。
【請求項１２】
前記プレゼンテーション状態を受信するステップは、前記ローカルプレゼンテーションの状態が変更する時に、前記プレゼンティングアプリケーションから前記プレゼンテーション状態を受信するステップを含むことを特徴とする請求項８に記載のコンピュータシステム。
【請求項１３】
前記プレゼンテーション状態に対応するプレゼンテーションデータの要求を前記ビューイングアプリケーションから受信するステップと、
前記プレゼンテーション状態に対応するプレゼンテーションデータの要求の受信に応答して、前記プレゼンテーションファイルを前記プレゼンテーション状態に対応する前記プレゼンテーションデータに変換するステップと、
前記プレゼンテーション状態に対応する前記プレゼンテーションデータを、前記ビューイングアプリケーションに提供するステップであって、前記ビューイングアプリケーションは、前記プレゼンテーションデータを読み取り、前記プレゼンテーションデータの読み取りに応答してリモートプレゼンテーションを表示するように動作する、提供するステップと
をさらに備えたことを特徴とする請求項１に記載のコンピュータで実施される方法。
【請求項１４】
プロセッサによって実行されると、プレゼンテーション状態を、プレゼンターデバイス上で実行するプレゼンティングアプリケーションと出席者デバイス上で実行するビューイングアプリケーションとの間で同期する方法を前記プロセッサに実行させるコンピュータ実行可能命令を有するコンピュータ可読記憶媒体であって、前記方法は、
前記プレゼンテーション状態を前記プレゼンティングアプリケーションから受信するステップであって、前記プレゼンティングアプリケーションは、プレゼンテーションファイルを読み取り、かつ前記プレゼンテーションファイルの読み取りに応答してローカルプレゼンテーションを表示するように動作し、前記プレゼンテーション状態は、前記ローカルプレゼンテーションの現在の状態を表し、かつ前記ローカルプレゼンテーション上のポインタの最新の座標、色、または形状のうちの少なくとも１つを含む、受信するステップと、
前記プレゼンテーションファイルを前記プレゼンテーション状態に対応するプレゼンテーションデータに変換するステップと、
前記プレゼンテーション状態に対応する前記プレゼンテーションデータを前記ビューイングアプリケーションに提供するステップであって、前記ビューイングアプリケーションは、前記プレゼンテーションデータを読み取り、かつ前記プレゼンテーションデータの読み取りに応答してリモートプレゼンテーションを表示するように動作する、提供するステップと
を備えたことを特徴とするコンピュータ可読記憶媒体。